(57)【要約】【課題】  チャージポンプ動作に用いられるキャパシタに蓄積された電荷を、簡素な構成で高速にディスチャージできる昇圧回路、電源回路及び液晶駆動装置を提供する。【解決手段】  チャージポンプ回路２００は、ＭＯＳトランジスタＮＳＷ１の一端にシステム接地電源電圧ＧＮＤが供給され直列に接続されるＭＯＳトランジスタＮＳＷ１〜ＮＳＷ５と、一端にシステム接地電源電圧ＧＮＤが供給され他端がＭＯＳトランジスタＮＳＷ４、ＮＳＷ５が接続されたノードに接続されたディスチャージ用トランジスタＤＳＷ１とを含む。ＭＯＳトランジスタＮＳＷ１〜ＮＳＷ５は、ｐ型の半導体基板に形成されたトリプルウェル構造により実現される。通常動作時は、ＭＯＳトランジスタＮＳＷ５がオン、ディスチャージ用トランジスタＤＳＷ１がオフに設定される。ディスチャージ動作時は、ＭＯＳトランジスタＮＳＷ５がオフ、ディスチャージ用トランジスタＤＳＷ１がオンに設定されて寄生バイポーラトランジスタ素子により電流経路が形成される。【選択図】      図１３
2005204411.tif 000002
【特許請求の範囲】
【請求項１】
チャージポンプ動作によりキャパシタに蓄積された電荷を用いて昇圧電圧を生成する昇圧回路であって、
チャージポンプ動作を行うためのトランジスタであって、第１のトランジスタの一端に第１の電圧が供給され、各トランジスタが直列に接続される第１〜第Ｎ（Ｎは２以上の整数）のトランジスタと、
一端に前記第１の電圧又は該第１の電圧より高い第２の電圧が供給され、他端が第（ｋ−１）及び第ｋ（ｋは、２以上Ｎ以下のいずれか１つの整数）のトランジスタが接続されたノードに接続されたディスチャージ用トランジスタとを含み、
前記第１〜第Ｎのトランジスタが、
ｐ型の半導体基板のｎ型のウェル領域に設けられたｐ型の第１〜第Ｎのウェル領域に形成され、
前記ｎ型のウェル領域には、
前記第１〜第Ｎのウェル領域に対する逆バイアス用電圧が印加され、
前記第１〜第Ｎのウェル領域の各ウェル領域が、
ｎ型のソース領域及びドレイン領域を有し、
前記第１〜第Ｎのトランジスタの各ゲート電極が、
前記ソース領域及びドレイン領域の間のチャネル領域上に絶縁膜を介して設けられ、
前記第１〜第Ｎのウェル領域では、
第１のウェル領域のドレイン領域に前記第１の電圧が供給されると共に、第（ｍ−１）（２≦ｍ≦Ｎ、ｍは整数）のウェル領域のソース領域が第ｍのウェル領域のドレイン領域と電気的に接続され、第Ｎのウェル領域のソース領域の電圧が前記昇圧電圧として出力され、
通常動作時には、第ｋ〜第Ｎのトランジスタが導通状態、前記ディスチャージ用トランジスタが非導通状態に設定され、第１〜第（ｋ−１）のトランジスタを用いたチャージポンプ動作により前記昇圧電圧が生成され、
ディスチャージ動作時には、第ｋ〜第Ｎのトランジスタが非導通状態、前記ディスチャージ用トランジスタが導通状態に設定され、第１〜第（ｋ−１）のウェル領域の各ウェル領域、該各ウェル領域に設けられた各ドレイン領域、及び前記ｎ型のウェル領域により形成される第１〜第（ｋ−１）の寄生バイポーラトランジスタ素子により電流経路が形成されることを特徴とする昇圧回路。
【請求項２】
請求項１において、
前記第１のトランジスタが、
その一端に前記第１の電圧が供給されるトランジスタであって、その一端が第１の期間で前記第２の電圧、第２の期間で前記第１の電圧を有する第１のキャパシタの他端に、前記第１の期間で前記第１の電圧を印加し、
第ｉ（２≦ｉ≦Ｎ、Ｎは３以上の整数、ｉは偶数）のトランジスタが、
その一端が第（ｉ−１）のトランジスタの他端に接続され、その一端が前記第１の期間で前記第１の電圧、前記第２の期間で前記第２の電圧を有する第ｉのキャパシタの他端を、前記第２の期間で前記第（ｉ−１）のキャパシタの他端に接続し、
第ｊ（３≦ｊ≦Ｎ、ｊは奇数）のトランジスタが、
その一端が第（ｊ−１）のトランジスタの他端に接続され、その一端が前記第１の期間で前記第２の電圧、前記第２の期間で前記第１の電圧を有する第ｊのキャパシタの他端を、前記第１の期間で前記第（ｊ−１）のキャパシタの他端に接続することを特徴とする昇圧回路。
【請求項３】
請求項１又は２において、
前記逆バイアス用電圧が、
前記昇圧回路で用いられる電圧の中で最も高い電圧であることを特徴とする昇圧回路。
【請求項４】
チャージポンプ動作によりキャパシタに蓄積された電荷を用いて昇圧電圧を生成する昇圧回路であって、
チャージポンプ動作を行うためのトランジスタであって、第１のトランジスタの一端に第１の電圧が供給され、各トランジスタが直列に接続される第１〜第Ｎ（Ｎは２以上の整数）のトランジスタと、
一端に前記第１の電圧又は該第１の電圧より低い第２の電圧が供給され、他端が第（ｋ−１）及び第ｋ（ｋは、２以上Ｎ以下のいずれか１つの整数）のトランジスタが接続されたノードに接続されたディスチャージ用トランジスタとを含み、
前記第１〜第Ｎのトランジスタが、
ｎ型の半導体基板のｐ型のウェル領域に設けられたｎ型の第１〜第Ｎのウェル領域に形成され、
前記ｐ型のウェル領域には、
前記第１〜第Ｎのウェル領域に対する逆バイアス用電圧が印加され、
前記第１〜第Ｎのウェル領域の各ウェル領域が、
ｐ型のソース領域及びドレイン領域を有し、
前記第１〜第Ｎのトランジスタの各ゲート電極が、
前記ソース領域及びドレイン領域の間のチャネル領域上に絶縁膜を介して設けられ、
前記第１〜第Ｎのウェル領域では、
第１のウェル領域のドレイン領域に前記第１の電圧が供給されると共に、第（ｍ−１）（２≦ｍ≦Ｎ、ｍは整数）のウェル領域のソース領域が第ｍのウェル領域のドレイン領域と電気的に接続され、第Ｎのウェル領域のソース領域の電圧が前記昇圧電圧として出力され、
通常動作時には、第ｋ〜第Ｎのトランジスタが導通状態、前記ディスチャージ用トランジスタが非導通状態に設定され、第１〜第（ｋ−１）のトランジスタを用いたチャージポンプ動作により前記昇圧電圧が生成され、
ディスチャージ動作時には、第ｋ〜第Ｎのトランジスタが非導通状態、前記ディスチャージ用トランジスタが導通状態に設定され、第１〜第（ｋ−１）のウェル領域の各ウェル領域、該各ウェル領域に設けられた各ドレイン領域、及び前記ｐ型のウェル領域により形成される第１〜第（ｋ−１）の寄生バイポーラトランジスタ素子により電流経路が形成されることを特徴とする昇圧回路。
【請求項５】
請求項１乃至４のいずれかにおいて、
ｋが、Ｎであることを特徴とする昇圧回路。
【請求項６】
請求項１乃至５のいずれかにおいて、
前記第Ｎのウェル領域と前記第１又は第２の電圧との間に設けられた出力ディスチャージ用トランジスタを含み、
通常動作時には、前記出力ディスチャージ用トランジスタが非導通状態に設定され、
ディスチャージ動作時には、前記出力ディスチャージ用トランジスタが導通状態に設定されることを特徴とする昇圧回路。
【請求項７】
請求項１乃至６のいずれか記載の昇圧回路と、
前記第１の電圧及び第２の電圧の間の電圧を基準として、前記昇圧電圧の極性を反転させる電圧極性反転回路とを含むことを特徴とする電源回路。
【請求項８】
請求項７において、
前記第１の電圧が、
単純マトリクス型の液晶パネルのセグメント電極に印加する電圧の１つであり、
前記逆バイアス用電圧が、
前記液晶パネルのコモン電極に印加する高電位側電圧及び低電位側電圧の一方であり、
前記昇圧電圧が、
前記高電位側電圧及び前記低電位側電圧の他方であることを特徴とする電源回路。
【請求項９】
請求項７又は８記載の電源回路と、
前記第１の電圧、前記逆バイアス用電圧、及び前記昇圧電圧のうち少なくとも１つを用いて、単純マトリクス型の液晶パネルのセグメント電極又はコモン電極を駆動する駆動回路とを含むことを特徴とする液晶駆動装置。
【発明の詳細な説明】
【技術分野】
【０００１】
本発明は、昇圧回路、電源回路及び液晶駆動装置に関する。
【背景技術】
【０００２】
携帯型の電子機器には、ますます低消費電力化が求められる。このような電子機器に搭載される表示装置として、例えば液晶装置が用いられることが多い。
【０００３】
ところで、液晶装置の駆動には高い電圧が必要とされる。従って、液晶装置を駆動する液晶駆動装置は、高い電圧を生成する電源回路を内蔵することがコストの観点からも望ましい。この場合、電源回路は、昇圧回路を含む。このような昇圧回路として、いわゆるチャージポンプ動作により昇圧した電圧を生成するチャージポンプ回路を用いることで、低消費化を図ることができる。
【特許文献１】特開２０００−２６２０４５号公報
【発明の開示】
【発明が解決しようとする課題】
【０００４】
チャージポンプ回路（広義には昇圧回路）は、電荷を蓄積したキャパシタの一端を、スイッチ素子（例えば金属酸化膜半導体（Metal Oxide Semiconductor：ＭＯＳ）トランジスタ）により各種電圧に接続していくことで、該キャパシタに蓄積された電荷に対応した電圧を昇圧していく。そのため、チャージポンプ回路の動作を停止した場合でも、動作中にキャパシタに蓄積された電荷が保持された状態となる。
【０００５】
ところで、液晶装置の画素を構成する液晶に直流成分の電圧が印加されると該液晶が劣化する。従って、液晶装置用の電圧を生成するチャージポンプ回路の動作を停止させる場合には、所定のシーケンスに従ってディスチャージ動作を行って液晶に印加される電圧を制御する必要がある。
【０００６】
しかしながら、液晶装置用の電圧を生成するチャージポンプ回路の動作を停止させると、上述のようにキャパシタに蓄積された電荷によって電圧を液晶に印加してしまう。特に単純マトリクス型の液晶装置（パッシブマトリクス型の液晶装置）では、ＣＯＭ電極とＳＥＧ電極との間の電圧がそのまま液晶に印加される。そこで、チャージポンプ回路の動作を停止させる場合、キャパシタの電荷をディスチャージする必要がある。しかも、キャパシタの電荷を高速にディスチャージできなければ、シーケンスを終了させるまでの時間が長くなり、電源オンと電源オフとを繰り返すユーザにとって使い勝手が悪くなる。
【０００７】
本発明は、以上のような技術的課題に鑑みてなされたものであり、その目的とするところは、チャージポンプ動作に用いられるキャパシタに蓄積された電荷を、簡素な構成で高速にディスチャージできる昇圧回路、電源回路及び液晶駆動装置を提供することにある。
【課題を解決するための手段】
【０００８】
上記課題を解決するために本発明は、チャージポンプ動作によりキャパシタに蓄積された電荷を用いて昇圧電圧を生成する昇圧回路であって、チャージポンプ動作を行うためのトランジスタであって、第１のトランジスタの一端に第１の電圧が供給され、各トランジスタが直列に接続される第１〜第Ｎ（Ｎは２以上の整数）のトランジスタと、一端に前記第１の電圧又は該第１の電圧より高い第２の電圧が供給され、他端が第（ｋ−１）及び第ｋ（ｋは、２以上Ｎ以下のいずれか１つの整数）のトランジスタが接続されたノードに接続されたディスチャージ用トランジスタとを含み、前記第１〜第Ｎのトランジスタが、ｐ型の半導体基板のｎ型のウェル領域に設けられたｐ型の第１〜第Ｎのウェル領域に形成され、前記ｎ型のウェル領域には、前記第１〜第Ｎのウェル領域に対する逆バイアス用電圧が印加され、前記第１〜第Ｎのウェル領域の各ウェル領域が、ｎ型のソース領域及びドレイン領域を有し、前記第１〜第Ｎのトランジスタの各ゲート電極が、前記ソース領域及びドレイン領域の間のチャネル領域上に絶縁膜を介して設けられ、前記第１〜第Ｎのウェル領域では、第１のウェル領域のドレイン領域に前記第１の電圧が供給されると共に、第（ｍ−１）（２≦ｍ≦Ｎ、ｍは整数）のウェル領域のソース領域が第ｍのウェル領域のドレイン領域と電気的に接続され、第Ｎのウェル領域のソース領域の電圧が前記昇圧電圧として出力され、通常動作時には、第ｋ〜第Ｎのトランジスタが導通状態、前記ディスチャージ用トランジスタが非導通状態に設定され、第１〜第（ｋ−１）のトランジスタを用いたチャージポンプ動作により前記昇圧電圧が生成され、ディスチャージ動作時には、第ｋ〜第Ｎのトランジスタが非導通状態、前記ディスチャージ用トランジスタが導通状態に設定され、第１〜第（ｋ−１）のウェル領域の各ウェル領域、該各ウェル領域に設けられた各ドレイン領域、及び前記ｎ型のウェル領域により形成される第１〜第（ｋ−１）の寄生バイポーラトランジスタ素子により電流経路が形成される昇圧回路に関係する。
【０００９】
また本発明に係る昇圧回路では、前記第１のトランジスタが、その一端に前記第１の電圧が供給されるトランジスタであって、その一端が第１の期間で前記第２の電圧、第２の期間で前記第１の電圧を有する第１のキャパシタの他端に、前記第１の期間で前記第１の電圧を印加し、第ｉ（２≦ｉ≦Ｎ、Ｎは３以上の整数、ｉは偶数）のトランジスタが、その一端が第（ｉ−１）のトランジスタの他端に接続され、その一端が前記第１の期間で前記第１の電圧、前記第２の期間で前記第２の電圧を有する第ｉのキャパシタの他端を、前記第２の期間で前記第（ｉ−１）のキャパシタの他端に接続し、第ｊ（３≦ｊ≦Ｎ、ｊは奇数）のトランジスタが、その一端が第（ｊ−１）のトランジスタの他端に接続され、その一端が前記第１の期間で前記第２の電圧、前記第２の期間で前記第１の電圧を有する第ｊのキャパシタの他端を、前記第１の期間で前記第（ｊ−１）のキャパシタの他端に接続することができる。
【００１０】
本発明では、いわゆるトリプルウェル構造で実現される第１〜第Ｎのトランジスタと、これらに接続されるキャパシタとを用いたチャージポンプ動作により、例えば第１及び第２の電圧の差の電圧をＮ倍に昇圧した昇圧電圧を出力できる。このような構成の第１〜第Ｎのトランジスタのうち、第ｋ〜第Ｎのトランジスタを固定的に導通状態に設定して、第１〜第（ｋ−１）のトランジスタとこれらに接続されるキャパシタとを用いたチャージポンプ動作により、例えば第１及び第２の電圧の差の電圧を例えば（ｋ−１）倍に昇圧した昇圧電圧を出力できる。このとき、キャパシタの電荷をディスチャージするためのディスチャージ動作時に、第ｋ〜第Ｎのトランジスタを非導通状態にして、第（ｋ−１）及び第ｋのトランジスタの接続ノードに接続されるディスチャージ用トランジスタを介して第１の電圧又はこれより高い電圧を該接続ノードに印加すると、寄生バイポーラトランジスタ素子がオンして、ダーリントン接続された寄生バイポーラトランジスタ素子により電流経路が形成される。こうすることで、例えばキャパシタそれぞれに接続されたディスチャージ用トランジスタを設けることなく、１つのディスチャージトランジスタのみで、チャージポンプ動作を行うためのキャパシタの電荷を高速にディスチャージできるようになる。
【００１１】
特に本発明においては、寄生バイポーラトランジスタ素子がｎｐｎ型であるため、ｐｎｐ型と比較すると電流増幅率が大きく、ディスチャージをより高速化できる。
【００１２】
また本発明に係る昇圧回路では、前記逆バイアス用電圧が、前記昇圧回路で用いられる電圧の中で最も高い電圧であってもよい。
【００１３】
本発明によれば、通常動作時においてはラッチアップを確実に防止でき、かつディスチャージ動作時においては上述のディスチャージトランジスタ１つのみで高速なディスチャージを実現できるようになる。
【００１４】
また本発明は、チャージポンプ動作によりキャパシタに蓄積された電荷を用いて昇圧電圧を生成する昇圧回路であって、チャージポンプ動作を行うためのトランジスタであって、第１のトランジスタの一端に第１の電圧が供給され、各トランジスタが直列に接続される第１〜第Ｎ（Ｎは２以上の整数）のトランジスタと、一端に前記第１の電圧又は該第１の電圧より低い第２の電圧が供給され、他端が第（ｋ−１）及び第ｋ（ｋは、２以上Ｎ以下のいずれか１つの整数）のトランジスタが接続されたノードに接続されたディスチャージ用トランジスタとを含み、前記第１〜第Ｎのトランジスタが、ｎ型の半導体基板のｐ型のウェル領域に設けられたｎ型の第１〜第Ｎのウェル領域に形成され、前記ｐ型のウェル領域には、前記第１〜第Ｎのウェル領域に対する逆バイアス用電圧が印加され、前記第１〜第Ｎのウェル領域の各ウェル領域が、ｐ型のソース領域及びドレイン領域を有し、前記第１〜第Ｎのトランジスタの各ゲート電極が、前記ソース領域及びドレイン領域の間のチャネル領域上に絶縁膜を介して設けられ、前記第１〜第Ｎのウェル領域では、第１のウェル領域のドレイン領域に前記第１の電圧が供給されると共に、第（ｍ−１）（２≦ｍ≦Ｎ、ｍは整数）のウェル領域のソース領域が第ｍのウェル領域のドレイン領域と電気的に接続され、第Ｎのウェル領域のソース領域の電圧が前記昇圧電圧として出力され、通常動作時には、第ｋ〜第Ｎのトランジスタが導通状態、前記ディスチャージ用トランジスタが非導通状態に設定され、第１〜第（ｋ−１）のトランジスタを用いたチャージポンプ動作により前記昇圧電圧が生成され、ディスチャージ動作時には、第ｋ〜第Ｎのトランジスタが非導通状態、前記ディスチャージ用トランジスタが導通状態に設定され、第１〜第（ｋ−１）のウェル領域の各ウェル領域、該各ウェル領域に設けられた各ドレイン領域、及び前記ｐ型のウェル領域により形成される第１〜第（ｋ−１）の寄生バイポーラトランジスタ素子により電流経路が形成される昇圧回路に関係する。
【００１５】
本発明では、いわゆるトリプルウェル構造で実現される第１〜第Ｎのトランジスタと、これらに接続されるキャパシタとを用いたチャージポンプ動作により、例えば第１及び第２の電圧の差の電圧をＮ倍に昇圧した昇圧電圧を出力できる。このような構成の第１〜第Ｎのトランジスタのうち、第ｋ〜第Ｎのトランジスタを固定的に導通状態に設定して、第１〜第（ｋ−１）のトランジスタとこれらに接続されるキャパシタとを用いたチャージポンプ動作により、例えば第１及び第２の電圧の差の電圧を例えば（ｋ−１）倍に昇圧した昇圧電圧を出力できる。このとき、キャパシタの電荷をディスチャージするためのディスチャージ動作時に、第ｋ〜第Ｎのトランジスタを非導通状態にして、第（ｋ−１）及び第ｋのトランジスタの接続ノードに接続されるディスチャージ用トランジスタを介して第１の電圧又はこれより高い電圧を該接続ノードに印加すると、寄生バイポーラトランジスタ素子がオンして、ダーリントン接続された寄生バイポーラトランジスタ素子により電流経路が形成される。こうすることで、例えばキャパシタそれぞれに接続されたディスチャージ用トランジスタを設けることなく、１つのディスチャージトランジスタのみで、チャージポンプ動作を行うためのキャパシタの電荷を高速にディスチャージできるようになる。
【００１６】
また本発明に係る昇圧回路では、ｋが、Ｎであってもよい。
【００１７】
本発明によれば、寄生バイポーラトランジスタ素子がダーリントン接続される段数を最も多くできるため、最も大きな電流増幅率でディスチャージ動作を実現し、ディスチャージを高速化できるようになる。
【００１８】
また本発明に係る昇圧回路では、前記第Ｎのウェル領域と前記第１又は第２の電圧との間に設けられた出力ディスチャージ用トランジスタを含み、通常動作時には、前記出力ディスチャージ用トランジスタが非導通状態に設定され、ディスチャージ動作時には、前記出力ディスチャージ用トランジスタが導通状態に設定されてもよい。
【００１９】
本発明によれば、ディスチャージ動作時に第Ｎのトランジスタが非導通状態にされても、昇圧電圧が出力されるノードを出力ディスチャージ用トランジスタを用いてディスチャージできる。そのため上述のディスチャージ動作後に、予期しない昇圧電圧が印加される事態を回避できる。
【００２０】
また本発明は、上記のいずれか記載の昇圧回路と、前記第１の電圧及び第２の電圧の間の電圧を基準として、前記昇圧電圧の極性を反転させる電圧極性反転回路とを含む電源回路に関係する。
【００２１】
また本発明に係る電源回路では、前記第１の電圧が、単純マトリクス型の液晶パネルのセグメント電極に印加する電圧の１つであり、前記逆バイアス用電圧が、前記液晶パネルのコモン電極に印加する高電位側電圧及び低電位側電圧の一方であり、前記昇圧電圧が、前記高電位側電圧及び前記低電位側電圧の他方であってもよい。
【００２２】
本発明によれば、チャージポンプ動作によりキャパシタに蓄積された電荷を、簡素な構成で高速にディスチャージする電源回路を提供できる。
【００２３】
また本発明は、上記記載の電源回路と、前記第１の電圧、前記逆バイアス用電圧、及び前記昇圧電圧のうち少なくとも１つを用いて、単純マトリクス型の液晶パネルのセグメント電極又はコモン電極を駆動する駆動回路とを含む液晶駆動装置に関係する。
【００２４】
本発明によれば、簡素な構成でチャージポンプ動作によりキャパシタに蓄積された電荷を高速にディスチャージし、単純マトリクス型の液晶パネルの液晶の劣化を確実に防ぐ液晶駆動装置を提供できる。
【発明を実施するための最良の形態】
【００２５】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２６】
１．  液晶装置
図１に、本実施形態における液晶駆動装置を含む液晶装置の構成例のブロック図を示す。
【００２７】
液晶装置５１０は、液晶パネル５２０と、液晶駆動装置５３０とを含む。
【００２８】
液晶パネル５２０は、複数のＣＯＭ電極（コモン電極）（狭義には走査線）と、複数のＳＥＧ電極（セグメント電極）（狭義にはデータ線）と、ＣＯＭ電極及びＳＥＧ電極により特定される画素を含む。この液晶パネル５２０は、単純マトリクス型の液晶パネルである。
【００２９】
より具体的には、液晶パネル５２０はパネル基板（例えばガラス基板）に形成される。このパネル基板には、図１のＹ方向に複数配列されそれぞれＸ方向に伸びるＣＯＭ電極ＣＯＭ１〜ＣＯＭＭ（Ｍは２以上の自然数）と、Ｘ方向に複数配列されそれぞれＹ方向に伸びるＳＥＧ電極ＳＥＧ１〜ＳＥＧＮ（Ｎは２以上の自然数）とが配置されている。また、ＣＯＭ電極ＣＯＭK（１≦Ｋ≦Ｍ、Ｋは自然数）とＳＥＧ電極ＳＥＧL（１≦Ｌ≦Ｎ、Ｌは自然数）との交差点に対応する位置に、画素が設けられる。各画素は、ＣＯＭ電極とＳＥＧ電極との間に液晶が封入されて形成され、ＣＯＭ電極とＳＥＧ電極との間の印加電圧に応じて透過率が変化するようになっている。
【００３０】
なお液晶パネル５２０では、１つのＣＯＭ電極ごとに、互いに対向する該パネルの２つの辺から該パネルの内側に向けて各ＣＯＭ電極が配置される。そして、１つのＣＯＭ電極ごとに、液晶パネル５２０の第１の辺側からと、該第１の辺に対向する第２の辺側から駆動されるようになっている。
【００３１】
液晶駆動装置５３０は、Ｘドライバ部５３２、Ｙドライバ部５３４、電源回路５３６を含む。Ｘドライバ部５３２は、表示データに基づいて液晶パネル５２０のＳＥＧ電極ＳＥＧ１〜ＳＥＧＮを駆動する。またＹドライバ部５３４は、液晶パネル５２０のＣＯＭ電極ＣＯＭ１〜ＣＯＭＭを順次選択する。電源回路５３６は、ＳＥＧ電極の駆動電圧、ＣＯＭ電極の駆動電圧を生成する。
【００３２】
液晶駆動装置５３０は、図示しない中央処理装置（Central Processing Unit：ＣＰＵ）等のホスト、又は該ホストにより制御されるコントローラにより設定された内容に従って動作する。
【００３３】
より具体的には、ホスト又はコントローラは、液晶駆動装置５３０のＸドライバ部５３２及びＹドライバ部５３４に対して、例えば動作モードの設定や内部で生成した垂直同期信号や水平同期信号の供給を行い、液晶駆動装置５３０の電源回路５３６に対して、昇圧倍率の設定や、ディスチャージ動作の制御を行う。
【００３４】
そして電源回路５３６は、外部から供給されるシステム接地電源電圧ＧＮＤ及び外部から供給されるシステム電源電圧ＶＤＤに基づいて、ＳＥＧ電極の駆動電圧（Ｖ１、ＭＶ１、ＶＣ）、ＣＯＭ電極の駆動電圧（Ｖ２、ＭＶ２、ＶＣ）を生成する。Ｘドライバ部５３２は、電源回路５３６によって生成された駆動電圧Ｖ１、ＭＶ１、ＶＣのいずれかを、表示データに基づいてＳＥＧ電極に印加する。Ｙドライバ部５３４は、電源回路５３６によって生成された駆動電圧Ｖ２、ＭＶ２、ＶＣのいずれかを、ＣＯＭ電極に印加する。
【００３５】
図２に、Ｘドライバ部５３２の構成例のブロック図を示す。
【００３６】
Ｘドライバ部５３２は、表示データＲＡＭ５４０と、パルス幅変調（Pulse Width Modulation：ＰＷＭ）信号生成回路５４２と、ＳＥＧ電極駆動回路５４４（広義には駆動回路）とを含む。表示データＲＡＭ５４０は、例えば１垂直走査期間分の表示データを記憶する。ＰＷＭ信号生成回路５４２は、表示データＲＡＭ５４０から１水平走査期間分の表示データを読み出し、各ＳＥＧ電極に印加するＰＷＭ信号をそれぞれ生成する。ＳＥＧ電極駆動回路５４４は、ＰＷＭ信号生成回路５４２によって生成された各ＰＷＭ信号に対応した駆動電圧Ｖ１、ＭＶ１のいずれかを各ＳＥＧ電極に印加する。なおＳＥＧ電極駆動回路５４４は、非表示領域のＳＥＧ電極に対して、駆動電圧ＶＣを印加できる。駆動電圧ＶＣは、Ｙドライバ部５３４と共通の電圧である。
【００３７】
図３に、Ｙドライバ部５３４の構成例のブロック図を示す。
【００３８】
Ｙドライバ部５３４は、シフトレジスタ５５０、ＣＯＭ電極駆動回路５５２（広義には駆動回路）を含む。シフトレジスタ５５０は、各ＣＯＭ電極に対応して設けられ、順次接続された複数のフリップフロップを含む。このシフトレジスタ５５０は、水平同期信号Ｈｓｙｎｃに同期して、垂直同期信号Ｖｓｙｎｃをフリップフロップに保持すると、順次水平同期信号Ｈｓｙｎｃに同期して隣接するフリップフロップに垂直同期信号Ｖｓｙｎｃをシフトする。
【００３９】
ＣＯＭ電極駆動回路５５２は、シフトレジスタ５５０からの電圧のレベルを駆動電圧Ｖ２、ＭＶ２、ＶＣのいずれかの電圧のレベルに変換する。そして、レベル変換後の電圧をＣＯＭ電極に出力する。シフトレジスタ５５０でシフトされる垂直同期信号Ｖｓｙｎｃを保持するフリップフロップに対応するＣＯＭ電極が選択されると、該ＣＯＭ電極に駆動電圧Ｖ２、ＭＶ２のいずれかが印加される。選択されないＣＯＭ電極には、駆動電圧ＶＣが印加される。
【００４０】
図４に、液晶駆動用の各種電圧の関係を説明するための図を示す。
【００４１】
本実施形態では、駆動電圧ＶＣを、ＳＥＧ電極とＣＯＭ電極とに共通に印加できる電圧としている。そして、駆動電圧ＶＣを基準に、正方向及び負方向に同じ振幅を有するＳＥＧ電極の駆動電圧Ｖ１、ＭＶ１を生成する。即ち、ＳＥＧ電極の駆動電圧Ｖ１、ＭＶ１の間の半分の電圧が、駆動電圧ＶＣとなる。このとき、駆動電圧ＭＶ１をシステム接地電源電圧ＧＮＤとすることができる。駆動電圧Ｖ１と駆動電圧ＭＶ１との間の電圧は例えば３．３Ｖである。
【００４２】
また、駆動電圧ＶＣを基準に、正方向及び負方向に同じ振幅を有するＣＯＭ電極の駆動電圧Ｖ２、ＭＶ２を生成する。駆動電圧ＶＣと駆動電圧Ｖ２との間の電圧は、例えば２０Ｖであり、駆動電圧ＭＶ２と駆動電圧ＶＣとの間の電圧は、例えば２０Ｖである。
【００４３】
図５に、ＣＯＭ電極、ＳＥＧ電極、オン画素、及びオフ画素の各波形の一例を示す。
【００４４】
図５では、フレームごとに極性反転を行う極性反転駆動を行う場合のＣＯＭ電極ＣＯＭ１〜ＣＯＭ３の波形、ＳＥＧ電極ＳＥＧ１〜ＳＥＧ３の波形を模式的に示している。
【００４５】
そして、オン画素として、ＣＯＭ電極ＣＯＭ１とＳＥＧ電極ＳＥＧ１との交差位置に対応した画素の波形を示す。またオフ画素として、ＣＯＭ電極ＣＯＭ１とＳＥＧ電極ＳＥＧ１との交差位置に対応した画素の波形を示す。このように、単純マトリクス型の液晶パネルは、図５に示すオン画素及びオフ画素の斜線部分により定まる実効値に応答する液晶の性質を利用している。
【００４６】
２．  電源回路
図６に、本実施形態における電源回路の構成例のブロック図を示す。本実施形態における電源回路１００は、図１に示す液晶装置の電源回路５３６に適用できる。
【００４７】
電源回路１００は、抵抗分割回路１１０、レギュレータ１２０、電圧分割回路１３０、チャージポンプ回路２００、電圧極性反転回路１４０とを含む。
【００４８】
抵抗分割回路１１０は、電源電圧ＶＤＤ１とシステム接地電源電圧ＧＮＤとの間に設けられる。電源電圧ＶＤＤ１は、例えば外部から供給されたシステム電源電圧ＶＤＤを電源回路１００内で昇圧して生成することができる。そして、電源電圧ＶＤＤ１とシステム接地電源電圧ＧＮＤとの間の電圧を抵抗回路により分割した分割電圧をレギュレータ１２０に供給する。抵抗分割回路１１０は、図示しない設定レジスタの設定値に基づいて電圧分割点を変更でき、電源電圧ＶＤＤ１とシステム接地電源電圧ＧＮＤとの間の所望の電圧をレギュレータ１２０に供給できるようになっている。
【００４９】
レギュレータ１２０は、抵抗分割回路１１０から供給された分割電圧を調整し、調整後の電圧を駆動電圧Ｖ１として出力する。より具体的にはレギュレータ１２０は、ボルテージフォロワ接続された演算増幅器により構成され、分割電圧をインピーダンス変換して駆動電圧Ｖ１として出力する。
【００５０】
電圧分割回路１３０は、レギュレータ１２０の出力と、システム接地電源電圧ＧＮＤとの間に設けられる。そして、レギュレータ１２０の出力電圧（駆動電圧Ｖ１）とシステム接地電源電圧ＧＮＤとの間の電圧の半分の分割電圧を駆動電圧ＶＣとして出力する。
【００５１】
チャージポンプ回路（広義には昇圧回路）２００は、レギュレータ１２０の出力と、システム接地電源電圧ＧＮＤとの間の電圧に基づいて、駆動電圧ＭＶ２を生成する。より具体的にはチャージポンプ回路２００は、レギュレータ１２０の出力である駆動電圧Ｖ１と、システム接地電源電圧ＧＮＤとの間の電圧を、システム接地電源電圧ＧＮＤを基準に負方向に昇圧して、駆動電圧ＭＶ２を生成する。
【００５２】
電圧極性反転回路１４０は、チャージポンプ回路２００によって生成された駆動電圧ＭＶ２を、駆動電圧ＶＣを基準にその極性を反転した駆動電圧Ｖ２を生成する。
【００５３】
このような電源回路１００により、図４に示す関係を有する各種駆動電圧を生成する。
【００５４】
このため電源回路１００は、チャージポンプ回路２００（昇圧回路）と、電源電圧ＶＤＤ１及びシステム接地電源電圧ＧＮＤの間の電圧ＶＣ（第１の電圧及び第２の電圧の間の電圧）を基準として、駆動電圧ＭＶ２の極性を反転させる電圧極性反転回路１４０とを含むということができる。
【００５５】
電源回路１００のうち、レギュレータ１２０及び電圧分割回路１３０は公知の構成で実現できるため、その説明を省略する。
【００５６】
図７に、チャージポンプ回路２００の構成例を示す。
【００５７】
図７では、駆動電圧Ｖ１とシステム接地電源電圧ＧＮＤとの間の電圧を接地電源電圧ＧＮＤを基準として負方向に４倍に昇圧するチャージポンプ回路の構成を示すが、本発明は昇圧倍率に限定されるものではない。
【００５８】
また図７のチャージポンプ回路２００が、チャージポンプ動作を行うためのスイッチ素子群と、外部接続端子ＴＣ１〜ＴＣ７とを有し、チャージポンプ動作を行うためのキャパシタが電源回路１００の外部で（電源回路１００が液晶駆動装置に適用された場合には該液晶駆動装置の外部で）接続されるものとする。以下では、スイッチ素子として、金属酸化膜半導体（Metal Oxide Semiconductor：ＭＯＳ）トランジスタを用いるものとして説明する。更に、本明細書では、チャージポンプ動作を行うためのスイッチ素子群のみを、適宜、広義のチャージポンプ回路と呼ぶ。
【００５９】
チャージポンプ回路２００は、駆動電圧Ｖ１とシステム接地電源電圧ＧＮＤとの間に直列に接続されたｐ型（例えば第１の導電型）のＭＯＳトランジスタＰＳＷ１、ｎ型（例えば第２の導電型）のＭＯＳトランジスタＰＳＷ２を含む。また、駆動電圧Ｖ１とシステム接地電源電圧ＧＮＤとの間に直列に接続されたｐ型のＭＯＳトランジスタＰＳＷ３、ｎ型のＭＯＳトランジスタＰＳＷ４を含む。ＭＯＳトランジスタＰＳＷ１、ＰＳＷ２の接続ノードは、外部接続端子ＴＣ１に接続されるキャパシタの一端に接続される。ＭＯＳトランジスタＰＳＷ３、ＰＳＷ４の接続ノードは、外部接続端子ＴＣ２に接続されるキャパシタの一端に接続される。
【００６０】
更にチャージポンプ回路２００は、チャージポンプ動作を行うためのトランジスタであって、第１のトランジスタの一端に第１の電圧が供給され、各トランジスタが直列に接続される第１〜第Ｎ（Ｎは２以上の整数）のトランジスタと、一端に前記第１の電圧又は該第１の電圧より高い第２の電圧が供給され、他端が第（ｋ−１）及び第ｋ（ｋは、２以上Ｎ以下のいずれか１つの整数）のトランジスタが接続されたノードに接続されたディスチャージ用トランジスタとを含む。図７では、ｋがＮの場合を示し、かつＮが５の場合を示している。
【００６１】
即ち、図７のチャージポンプ回路２００は、チャージポンプ動作を行うためのトランジスタであって、ｎ型のＭＯＳトランジスタＮＳＷ１（第１のトランジスタ）の一端にシステム接地電源電圧ＧＮＤ（第１の電圧）が供給され、各トランジスタが直列に接続されるｎ型のＭＯＳトランジスタＮＳＷ１〜ＮＳＷ５（第１〜第５のトランジスタ）を含む。
【００６２】
このようなＭＯＳトランジスタＮＳＷ１〜ＮＳＷ５をｐ型の半導体基板に形成する場合、いわゆるトリプルウェル構造を採用することで実現できる。
【００６３】
そしてチャージポンプ回路２００は、一端にシステム接地電源電圧ＧＮＤ又は駆動電圧Ｖ１（第１の電圧又は該第１の電圧より高い電圧）が供給され、他端がＭＯＳトランジスタＮＳＷ４、ＮＳＷ５が接続されたノードに接続されたディスチャージ用トランジスタＤＳＷ１とを含む。ディスチャージ用トランジスタＤＳＷ１は、ｎ型のＭＯＳトランジスタにより実現できる。
【００６４】
外部接続端子ＴＣ３は、ＭＯＳトランジスタＮＳＷ１、ＮＳＷ２の接続ノードに接続される。外部接続端子ＴＣ４は、ＭＯＳトランジスタＮＳＷ２、ＮＳＷ３の接続ノードに接続される。外部接続端子ＴＣ５は、ＭＯＳトランジスタＮＳＷ３、ＮＳＷ４の接続ノードに接続される。外部接続端子ＴＣ６は、ＭＯＳトランジスタＮＳＷ４、ＮＳＷ５の接続ノードに接続される。外部接続端子ＴＣ７は、ＭＯＳトランジスタＮＳＷ５のドレインに接続される。
【００６５】
またチャージポンプ回路２００は、ＭＯＳトランジスタＮＳＷ５のドレインに、出力ディスチャージ用トランジスタＤＳＷ２を含むことができる。出力ディスチャージ用トランジスタＤＳＷ２は、ｎ型のＭＯＳトランジスタにより実現できる。
【００６６】
外部接続端子ＴＣ１、ＴＣ３の間に、外部でキャパシタＣ１が接続される。外部接続端子ＴＣ２、ＴＣ４の間に、外部でキャパシタＣ２が接続される。外部接続端子ＴＣ１、ＴＣ５の間に、外部でキャパシタＣ３が接続される。外部接続端子ＴＣ２、ＴＣ６の間に、外部でキャパシタＣ４が接続される。外部接続端子ＴＣ７と、システム接地電源電圧ＧＮＤとの間には、外部で安定化用キャパシタＣｓが接続される。
【００６７】
このような構成のチャージポンプ回路２００は、通常動作時には、ディスチャージ用トランジスタＤＳＷ１、出力ディスチャージ用トランジスタＤＳＷ２が非導通状態に設定され、ＭＯＳトランジスタＰＳＷ１〜ＰＳＷ４、ＮＳＷ１〜ＮＳＷ５を用いたチャージポンプ動作により、昇圧電圧として駆動電圧ＭＶ２を出力し、安定化用キャパシタＣｓに保持される。このとき駆動電圧ＭＶ２は、システム接地電源電圧ＧＮＤを基準に負方向に、システム接地電源電圧ＧＮＤと駆動電圧Ｖ１との間の電圧を４倍に昇圧した電圧となる。
【００６８】
チャージポンプ回路２００の通常動作時にチャージポンプ動作を行うため、ＭＯＳトランジスタＰＳＷ１〜ＰＳＷ４、ＮＳＷ１〜ＮＳＷ５の各ゲート電極にはチャージクロックＣＬ１０〜ＣＬ１３、ＣＬ１〜ＣＬ５が供給される。
【００６９】
図８及び図９に、チャージクロックの説明図を示す。
【００７０】
図８は、チャージクロックＣＬ１０〜ＣＬ１３、ＣＬ１〜ＣＬ５の基準タイミングとなる２つのクロックＣＬＡ、ＣＬＢを示す。クロックＣＬＡ、ＣＬＢは、互いに位相が反転している。例えば第１の期間Ｔ１でクロックＣＬＡがＨレベルのときクロックＣＬＢがＬレベルとなり、第２の期間Ｔ２でクロックＣＬＡがＬレベルのときクロックＣＬＢがＨレベルとなる。
【００７１】
図９は、チャージクロックＣＬ１０〜ＣＬ１３、ＣＬ１〜ＣＬ５の生成回路の一例を示す。チャージクロックＣＬ１０〜ＣＬ１３、ＣＬ１〜ＣＬ５は、クロックＣＬＡ、ＣＬＢのいずれかを各ＭＯＳトランジスタの電圧レベルに変換したクロックである。例えばチャージクロックＣＬ１は、クロックＣＬＡの振幅を、システム接地電源電圧ＧＮＤ（ＭＶ１）と駆動電圧Ｖ１との間の電圧の振幅に変換したクロックとして生成される。また例えばチャージクロックＣＬ４は、クロックＣＬＢの振幅を、駆動電圧ＭＶ２と駆動電圧Ｖ１との間の電圧の振幅に変換したクロックとして生成される。
【００７２】
図７において、例えば第１の期間Ｔ１では、ＭＯＳトランジスタＰＳＷ１がオン、ＭＯＳトランジスタＰＳＷ２がオフして、キャパシタＣ１の一端が駆動電圧Ｖ１に接続される。このときＭＯＳトランジスタＮＳＷ１がオン、ＭＯＳトランジスタＮＳＷ２がオフであるため、キャパシタＣ１の他端がシステム接地電源電圧ＧＮＤに接続される。
【００７３】
同様に、例えば第２の期間Ｔ２では、ＭＯＳトランジスタＰＳＷ１がオフ、ＭＯＳトランジスタＰＳＷ２がオンして、キャパシタＣ１の一端がシステム接地電源電圧ＧＮＤに接続される。このときＭＯＳトランジスタＮＳＷ１がオフして、ＭＯＳトランジスタＮＳＷ２がオンするので、キャパシタＣ１の他端の電位（−Ｖ１）が、キャパシタＣ２の一端の電位となる。第２の期間Ｔ２において、ＭＯＳトランジスタＰＳＷ３がオン、ＭＯＳトランジスタＰＳＷ４がオフするので、このキャパシタＣ２の他端は、駆動電圧Ｖ１に接続される。この時点で、キャパシタＣ２は、電圧２×Ｖ１に相当する電荷を蓄積していることになる。
【００７４】
即ち、チャージポンプ回路２００は、一端にシステム接地電源電圧ＧＮＤ（第１の電圧）が供給されるトランジスタであって、その一端が第１の期間Ｔ１で駆動電圧Ｖ１（第２の電圧）、第２の期間Ｔ２でシステム接地電源電圧ＧＮＤを有するキャパシタＣ１（第１のキャパシタ）の他端に、第１の期間Ｔ１でシステム接地電源電圧ＧＮＤを印加するためのＭＯＳトランジスタＮＳＷ１（第１のトランジスタ）を含むということができる。更にチャージポンプ回路２００は、以下のようなＭＯＳトランジスタＮＳＷ２〜ＮＳＷＮ（第２〜第Ｎのトランジスタ）を含むということができる。
【００７５】
ＭＯＳトランジスタＮＳＷｉ（第ｉのトランジスタ）（２≦ｉ≦Ｎ、Ｎは３以上の整数、ｉは偶数）は、その一端がＭＯＳトランジスタＮＳＷ（ｉ−１）（第（ｉ−１）のトランジスタ）の他端に接続され、その一端が第１の期間Ｔ１でシステム接地電源電圧ＧＮＤ、第２の期間Ｔ２で駆動電圧Ｖ１を有するキャパシタＣｉ（第ｉのキャパシタ）の他端を、第２の期間Ｔ２でキャパシタＣ（ｉ−１）（第（ｉ−１）のキャパシタ）の他端に接続する。
【００７６】
ＭＯＳトランジスタＮＳＷｊ（第ｊのトランジスタ）（３≦ｊ≦Ｎ、ｊは奇数）は、その一端がＭＯＳトランジスタＮＳＷ（ｊ−１）（第（ｊ−１）のトランジスタ）の他端に接続され、その一端が第１の期間Ｔ１で駆動電圧Ｖ１、第２の期間Ｔ２でシステム接地電源電圧ＧＮＤを有するキャパシタＣｊ（第ｊのキャパシタ）の他端を、第１の期間Ｔ１でキャパシタＣ（ｊ−１）（第（ｊ−１）のキャパシタ）の他端に接続する。
【００７７】
なお図７では、各キャパシタの一端に、第１及び第２の期間Ｔ１、Ｔ２に印加される電圧の一例を示している。
【００７８】
そして、図８及び図９に示すように生成されたチャージクロックに同期して、上述のようなキャパシタを用いたチャージポンプ動作を繰り返すことで、キャパシタＣ４には、電圧４×Ｖ１に相当する電荷を蓄積する。
【００７９】
図１０に、電圧極性反転回路１４０の構成例を示す。
【００８０】
電圧極性反転回路１４０は、駆動電圧ＶＣ、ＭＶ２の間に直列に接続されたｐ型のＭＯＳトランジスタＰＬ１、ｎ型のＭＯＳトランジスタＰＬ２を有する。また電圧極性反転回路１４０では、ｎ型のＭＯＳトランジスタＰＬ３、ｐ型のＭＯＳトランジスタＰＬ４を含む。ソース側に駆動電圧ＶＣが供給されるｎ型のＭＯＳトランジスタＰＬ３のドレイン側に、ｐ型のＭＯＳトランジスタＰＬ４が接続される。
【００８１】
電圧極性反転回路１４０もまた、外部接続端子ＴＬ１〜ＴＬ３を有する。外部接続端子ＴＬ１は、ＭＯＳトランジスタＰＬ４のソース側に接続される。外部接続端子ＴＬ２は、ＭＯＳトランジスタＰＬ３、ＰＬ４の接続ノードに接続される。外部接続端子ＴＬ３は、ＭＯＳトランジスタＰＬ１、ＰＬ２の接続ノードに接続される。
【００８２】
外部接続端子ＴＬ２、ＴＬ３の間に、外部でキャパシタＣｐ１が接続される。外部接続端子ＴＬ１とシステム接地電源電圧ＧＮＤとの間に、外部でキャパシタＣｐ２が接続される。
【００８３】
ＭＯＳトランジスタＰＬ１〜ＰＬ４の各ゲート電極に印加されるチャージクロックは、図７に示すチャージポンプ回路２００のチャージクロックと同期してもよいし、非同期であってもよい。ＭＯＳトランジスタＰＬ１〜ＰＬ４の各ゲート電極には、例えば第１の期間Ｔ１でキャパシタＣｐ１の両端に駆動電圧ＶＣ、ＭＶ２を印加し、次の第２の期間Ｔ２で駆動電圧ＭＶ２が印加されたキャパシタの一端に、駆動電圧ＶＣを印加するようにチャージクロックを供給する。
【００８４】
以上のように本実施形態における電源回路１００は、図４に示す関係を有する複数の駆動電圧を生成することができる。
【００８５】
３．  チャージポンプ回路
図７に示した構成のチャージポンプ回路２００では、通常動作時には、ディスチャージ用トランジスタＤＳＷ１、出力ディスチャージ用トランジスタＤＳＷ２が非導通状態に設定され、ＭＯＳトランジスタＰＳＷ１〜ＰＳＷ４、ＮＳＷ１〜ＮＳＷ５を用いたチャージポンプ動作により、４倍の昇圧電圧として駆動電圧ＭＶ２を出力する。
【００８６】
このような構成のチャージポンプ回路２００は、キャパシタの接続を省略することで、３倍昇圧、２倍昇圧等を実現できる。
【００８７】
図１１に、３倍昇圧時の本実施形態におけるチャージポンプ回路のキャパシタ接続例を示す。
【００８８】
図１１では、図７に示すチャージポンプ回路２００と同一部分には同一符号を付し、適宜説明を省略する。３倍昇圧を行う図１１に示すチャージポンプ回路と、４倍昇圧を行う図７に示すチャージポンプ回路とが異なる点は、図１１ではキャパシタＣ４の接続が省略されている点である。そして、ＭＯＳトランジスタＮＳＷ５が通常動作状態において常に導通状態となるようにチャージクロックＣＬ２０が、ＭＯＳトランジスタＮＳＷ５のゲート電極に供給される点も異なる。
【００８９】
図１２に、図１１に示すチャージポンプ回路に接続されるキャパシタの両端の電圧波形の一例を示す。
【００９０】
図１２では、ＭＯＳトランジスタＰＳＷ１〜ＰＳＷ４のいずれかに接続されるキャパシタの一端を正側、ＭＯＳトランジスタＮＳＷ１〜ＮＳＷ５のいずれかに接続されるキャパシタの他端を負側としている。
【００９１】
ＭＯＳトランジスタＮＳＷ５を除いて、３倍昇圧時も４倍昇圧時も同様の動作であるため説明を省略する。
【００９２】
このような構成のチャージポンプ回路２００では、トリプルウェル構造を有し、ディスチャージ用トランジスタＤＳＷ１のみで、他に余分なディスチャージ用トランジスタを付加することなく、トリプルウェル構造の所定の領域に印加される電圧をシステム接地電源電圧ＧＮＤに向けて高速に変化させることができるようになる。
【００９３】
以下、この点について説明する。
【００９４】
図１３に、ＭＯＳトランジスタＮＳＷ１〜ＮＳＷ５をｐ型の半導体基板に形成した場合の断面図の一例を示す。図１３と図１１の同一部分には同一符号を付している。
【００９５】
図７及び図１１に示すようなチャージポンプ回路２００をｐ型の半導体基板に形成する場合、いわゆるトリプルウェル構造を採用する必要がある。
【００９６】
ＭＯＳトランジスタＮＳＷ１〜ＮＳＷ５がｐ型（例えば第１の導電型）のシリコン基板３００（広義には基板）に形成される場合、ｐ型のシリコン基板３００には、ｎウェル（ｎ型（例えば第２の導電型）のウェル領域）３１０が形成される。そして、ｎウェル３１０には、第１〜第５のｐウェル（ｐ型の第１〜第５のウェル領域）３２０−１〜３２０−５が形成される。第１〜第５のｐウェル３２０−１〜３２０−５に、ＭＯＳトランジスタＮＳＷ１〜ＮＳＷ５が形成される。
【００９７】
ｐ型シリコン基板３００は、ｐ＋領域を介してシステム接地電源電圧ＧＮＤが供給される。ｎウェル３１０には、第１〜第５のｐウェルに対する逆バイアス用に、ｎ＋領域を介して逆バイアス用電圧が供給される。逆バイアス用電圧は、ラッチアップを防止するために電源回路１００内でも用いられる電圧のうち最も高い電圧であることが望ましい。図１３では、図４に示すように駆動電圧Ｖ２を、逆バイアス用電圧としている。従って、逆バイアス用電圧は、液晶パネル５２０の走査電極に印加する高電位側電圧及び低電位側電圧のうち高電位側電圧ということができる。駆動電圧Ｖ２は、駆動電圧ＭＶ２に基づいて生成されるため、逆バイアス用電圧は昇圧電圧に基づいて生成された電圧ということもできる。
【００９８】
図１３では、第１〜第５のｐウェル３２０−１〜３２０−５が、ｎウェル３１０に形成されているが、これに限定されるものではない。第１〜第５のｐウェル３２０−１〜３２０−５が、それぞれ分離されたｎウェルに形成されてもよい。但し分離されたｎウェルは、それぞれ逆バイアス用電圧が印加される。
【００９９】
第１〜第５のｐウェル３２０−１〜３２０−５の各ウェル領域には、ｎ型のドレイン領域３２２−１〜３２２−５及びソース領域３２４−１〜３２４−５が形成される。
【０１００】
ＭＯＳトランジスタＮＳＷ１（第１のトランジスタ）のゲート電極は、ドレイン領域３２２−１及びソース領域３２４−１の間のチャネル領域上に絶縁膜を介して設けられる。ＭＯＳトランジスタＮＳＷ２（第２のトランジスタ）のゲート電極は、ドレイン領域３２２−２及びソース領域３２４−２の間のチャネル領域上に絶縁膜を介して設けられる。ＭＯＳトランジスタＮＳＷ３（第３のトランジスタ）のゲート電極は、ドレイン領域３２２−３及びソース領域３２４−３の間のチャネル領域上に絶縁膜を介して設けられる。ＭＯＳトランジスタＮＳＷ４（第４のトランジスタ）のゲート電極は、ドレイン領域３２２−４及びソース領域３２４−４の間のチャネル領域上に絶縁膜を介して設けられる。ＭＯＳトランジスタＮＳＷ５（第５のトランジスタ）のゲート電極は、ドレイン領域３２２−５及びソース領域３２４−５の間のチャネル領域上に絶縁膜を介して設けられる。
【０１０１】
第１のｐウェル３２０−１のドレイン領域３２２−１には、システム接地電源電圧ＧＮＤが供給される。第（ｍ−１）（２≦ｍ≦５、ｍは整数）のｐウェル３２０−（ｍ−１）のソース領域３２４−（ｍ−１）が、第ｍのｐウェル３２０−ｍのドレイン領域３２２−ｍと電気的に接続され、第５のｐウェル３２０−５のソース領域３２４−５の電圧が、駆動電圧ＭＶ２となる。
【０１０２】
図１３では、第１のｐウェル３２０−１をベース領域、ｎウェル３１０をコレクタ領域、ドレイン領域３２２−１をエミッタ領域とするｎｐｎ型の第１の寄生バイポーラトランジスタ素子ＰＢＥ−１が形成される。同様に、第２のｐウェル３２０−２をベース領域、ｎウェル３１０をコレクタ領域、ドレイン領域３２２−２をエミッタ領域とするｎｐｎ型の第２の寄生バイポーラトランジスタ素子ＰＢＥ−２が形成される。第３のｐウェル３２０−３をベース領域、ｎウェル３１０をコレクタ領域、ドレイン領域３２２−３をエミッタ領域とするｎｐｎ型の第３の寄生バイポーラトランジスタ素子ＰＢＥ−３が形成される。第４のｐウェル３２０−４をベース領域、ｎウェル３１０をコレクタ領域、ドレイン領域３２２−４をエミッタ領域とするｎｐｎ型の第４の寄生バイポーラトランジスタ素子ＰＢＥ−４が形成される。第５のｐウェル３２０−５をベース領域、ｎウェル３１０をコレクタ領域、ドレイン領域３２２−５をエミッタ領域とするｎｐｎ型の第５の寄生バイポーラトランジスタ素子ＰＢＥ−５が形成される。
【０１０３】
図１４に、ＭＯＳトランジスタＮＳＷ５、ディスチャージ用トランジスタＤＳＷ１、出力ディスチャージ用トランジスタＤＳＷ２の制御例の説明図を示す。
【０１０４】
３倍昇圧を行う場合のチャージポンプ回路２００では、通常動作時にＭＯＳトランジスタＮＳＷ５が導通状態に設定され、ディスチャージ用トランジスタＤＳＷ１及び出力ディスチャージ用トランジスタＤＳＷ２が非導通状態に設定される。
【０１０５】
また電源オフ時にチャージポンプ回路２００のキャパシタに蓄積された電荷をディスチャージするためのディスチャージ動作時には、ＭＯＳトランジスタＮＳＷ５が非導通状態に設定され、ディスチャージ用トランジスタＤＳＷ１及び出力ディスチャージ用トランジスタＤＳＷ２が導通状態に設定される。
【０１０６】
ディスチャージ動作時には、ＭＯＳトランジスタＮＳＷ５が非導通状態に設定され、ディスチャージ用トランジスタＤＳＷ１が導通状態に設定されるため、ＭＯＳトランジスタＮＳＷ４、ＮＳＷ５の接続ノードＡ４の電圧が、システム接地電源電圧ＧＮＤ又は駆動電圧Ｖ１に設定される。
【０１０７】
このとき、上述の寄生バイポーラトランジスタ素子ＰＢＥ−４のベース領域が、システム接地電源電圧ＧＮＤ又は駆動電圧Ｖ１に設定される。この結果、図１５に示すように第４の寄生バイポーラトランジスタ素子ＰＢＥ−４がオンとなり、第１〜第４の寄生バイポーラトランジスタ素子ＰＢＥ−１〜ＰＢＥ−４がダーリントン接続された状態となる。即ち、寄生バイポーラトランジスタ素子ＰＢＥ−１〜ＰＢＥ−４がオンすることで、逆バイアス用電圧Ｖ２からシステム接地電源電圧ＧＮＤに向けて電流経路が形成される。
【０１０８】
寄生バイポーラトランジスタ素子ＰＢＥ−４がオンになっても電流増幅率は小さい。しかし、製造プロセスの微細化が進み、或いは直列接続されたＭＯＳトランジスタの段数が多くなり寄生バイポーラトランジスタ素子のダーリントン接続段数が増加すると、それだけ電流増幅率が大きくなるので、結果としてｎウェル３１０に印加される電圧が、高速にシステム接地電源電圧ＧＮＤに変化することになる。特にｎウェル３１０に印加される逆バイアス用電圧Ｖ２が、図１０に示す電圧極性反転回路１４０のようにチャージポンプ動作によって生成される場合、ディスチャージ用トランジスタＤＳＷ１を１つ設けるだけで、キャパシタＣｐ２の電荷を高速にディスチャージできるようになる。そして接続ノードＡ１〜Ａ３の電圧も、システム接地電源電圧ＧＮＤに近づくことになるため、ディスチャージ用トランジスタＤＳＷ１のみで、他に余分なディスチャージ用トランジスタを付加することなくディスチャージ動作を高速化できる。
【０１０９】
なお図１１では、接続ノードＡ４に、ディスチャージトランジスタＤＳＷ１の一端を接続しているが、これに限定されるものではない。接続ノードＡ３、Ａ２、Ａ１に接続するものであってもよい。但し、接続ノードＡ４に接続することで、図１５に示すようにダーリントン接続の段数が増えるため、電流増幅率が大きくなり、より高速なディスチャージ動作を実現できるようになる。
【０１１０】
このように本実施形態におけるチャージポンプ回路２００は、電源オフ時におけるキャパシタの電荷のディスチャージを行うディスチャージ動作を、簡素な構成で高速に実現できる。
【０１１１】
図１６（Ａ）、（Ｂ）に、比較例のディスチャージ動作の測定波形を示す。比較例では、チャージポンプ動作に寄与するすべてのキャパシタの両端にディスチャージ用トランジスタを設けている。そして、ディスチャージ動作時には、これらディスチャージ用トランジスタを一斉に導通状態にする。
【０１１２】
図１７（Ａ）、（Ｂ）に、本実施形態におけるディスチャージ動作の測定波形を示す。
【０１１３】
図１６（Ａ）、図１７（Ａ）は、横軸が２０ミリ秒／ｄｉｖ、縦軸が５ボルト／ｄｉｖである。図１６（Ｂ）、図１７（Ｂ）は、横軸が４００マイクロ秒／ｄｉｖ、縦軸が５ボルト／ｄｉｖである。
【０１１４】
図１６（Ｂ）、図１７（Ｂ）を比較すると、逆バイアス用電圧として印加される駆動電圧Ｖ２が、高速にシステム接地電源電圧ＧＮＤに落ちている。またチャージポンプ回路２００が生成する昇圧電圧である駆動電圧ＭＶ２についても、ディスチャージ用トランジスタＤＳＷ１が１つにもかかわらず、同等以上の速度でシステム接地電源電圧ＧＮＤに落ちている。
【０１１５】
以上説明したようなチャージポンプ回路２００を電源回路１００に適用した場合、システム接地電源電圧ＧＮＤ（＝ＭＶ１）（第１の電圧）を、単純マトリクス型の液晶パネルのセグメント電極に印加する電圧の１つとすることができる。また逆バイアス用電圧を、液晶パネルのコモン電極に印加する高電位側電圧及び低電位側電圧の高電位側電圧とし、昇圧電圧である駆動電圧ＭＶ２を、コモン電極に印加する高電位側電圧及び低電位側電圧の低電位側電極にすることができる。
【０１１６】
そして、このような電源回路と、システム接地電源電圧ＧＮＤ（第１の電圧）、駆動電圧Ｖ２（逆バイアス用電圧）、及び駆動電圧ＭＶ２（昇圧電圧）のうち少なくとも１つを用いて、単純マトリクス型の液晶パネルのセグメント電極又はコモン電極を駆動する駆動回路とを含む液晶駆動装置を提供できる。
【０１１７】
４．  変形例
以上説明した実施形態では、ｐ型のシリコン基板に形成されるチャージポンプ回路について説明したが、これに限定されるものではない。チャージポンプ回路を、ｎ型のシリコン基板に形成してもよい。このｎ型のシリコン基板に形成されるチャージポンプ回路３５０もまた、図６に示す電源回路、図１に示す液晶駆動装置に適用できる。この場合、チャージポンプ回路３５０は、駆動電圧Ｖ２を生成し、電圧極性反転回路が、駆動電圧ＶＣを基準に極性を反転させた駆動電圧ＭＶ２を生成することになる。
【０１１８】
図１８に、ｎ型のシリコン基板に形成されるチャージポンプ回路の回路図の一例を示す。
【０１１９】
チャージポンプ回路３５０は、駆動電圧Ｖ１とシステム接地電源電圧ＧＮＤとの間に直列に接続されたｐ型のＭＯＳトランジスタＰＳＷ１、ｎ型のＭＯＳトランジスタＰＳＷ２を含む。また、駆動電圧Ｖ１とシステム接地電源電圧ＧＮＤとの間に直列に接続されたｐ型のＭＯＳトランジスタＰＳＷ３、ｎ型のＭＯＳトランジスタＰＳＷ４を含む。ＭＯＳトランジスタＰＳＷ１、ＰＳＷ２の接続ノードは、外部接続端子ＴＣ１に接続されるキャパシタの一端に接続される。ＭＯＳトランジスタＰＳＷ３、ＰＳＷ４の接続ノードは、外部接続端子ＴＣ２に接続されるキャパシタの一端に接続される。
【０１２０】
更にチャージポンプ回路３５０は、チャージポンプ動作を行うためのトランジスタであって、第１のトランジスタの一端に第１の電圧が供給され、各トランジスタが直列に接続される第１〜第Ｎ（Ｎは２以上の整数）のトランジスタと、一端に前記第１の電圧又は該第１の電圧より低い第２の電圧が供給され、他端が第（ｋ−１）及び第ｋ（ｋは、２以上Ｎ以下のいずれか１つの整数）のトランジスタが接続されたノードに接続されたディスチャージ用トランジスタとを含む。図１８では、ｋが５の場合を示している。
【０１２１】
このようなＭＯＳトランジスタＰＳＷ１１〜ＰＳＷ１５をｎ型の半導体基板に形成する場合、いわゆるトリプルウェル構造を採用することで実現できる。
【０１２２】
外部接続端子ＴＣ３は、ＭＯＳトランジスタＰＳＷ１１、ＰＳＷ１２の接続ノードに接続される。外部接続端子ＴＣ４は、ＭＯＳトランジスタＰＳＷ１２、ＰＳＷ１３の接続ノードに接続される。外部接続端子ＴＣ５は、ＭＯＳトランジスタＰＳＷ１３、ＰＳＷ１４の接続ノードに接続される。外部接続端子ＴＣ６は、ＭＯＳトランジスタＰＳＷ１４、ＰＳＷ１５の接続ノードに接続される。外部接続端子ＴＣ７は、ＭＯＳトランジスタＰＳＷ１５のソースに接続される。
【０１２３】
またチャージポンプ回路３５０は、ＭＯＳトランジスタＰＳＷ１５のソースに、出力ディスチャージ用トランジスタＤＳＷ２を含むことができる。出力ディスチャージ用トランジスタＤＳＷ２は、ｎ型のＭＯＳトランジスタにより実現できる。
【０１２４】
外部接続端子ＴＣ１、ＴＣ３の間に、外部でキャパシタＣ１が接続される。外部接続端子ＴＣ２、ＴＣ４の間に、外部でキャパシタＣ２が接続される。外部接続端子ＴＣ１、ＴＣ５の間に、外部でキャパシタＣ３が接続される。外部接続端子ＴＣ７と、システム接地電源電圧ＧＮＤとの間には、外部で安定化用キャパシタＣｓが接続される。
【０１２５】
このような構成のチャージポンプ回路３５０は、図１１と同様の２相のチャージクロックに同期したチャージポンプ動作を行うため、説明は省略する。
【０１２６】
そしてチャージポンプ回路２００と同様にトリプルウェル構造を採用するため、寄生バイポーラトランジスタ素子が形成される。
【０１２７】
図１９に、ＭＯＳトランジスタＰＳＷ１１〜ＰＳＷ１５をｎ型の半導体基板に形成した場合の断面図の一例を示す。図１８と図１９の同一部分には同一符号を付している。
【０１２８】
ｎ型のシリコン基板４００には、ｐウェル（ｐ型のウェル領域）４１０が形成される。そして、ｐウェル４１０には、第１〜第５のｎウェル（ｎ型の第１〜第５のウェル領域）４２０−１〜４２０−５が形成される。第１〜第５のｎウェル４２０−１〜４２０−５に、ＭＯＳトランジスタＰＳＷ１１〜ＰＳＷ１５が形成される。
【０１２９】
ｎ型シリコン基板４００は、ｎ＋領域を介して例えば駆動電圧Ｖ１が供給される。ｐウェル４１０には、第１〜第５のｎウェルに対する逆バイアス用に、ｐ＋領域を介して逆バイアス用電圧が供給される。逆バイアス用電圧は、ラッチアップを防止するために電源回路１００内でも用いられる電圧のうち最も低い電圧であることが望ましい。逆バイアス用電圧として、例えば図４に示す駆動電圧ＭＶ２又はシステム接地電源電圧ＧＮＤを用いることができる。従って、この場合には、逆バイアス用電圧は、液晶パネル５２０の走査電極に印加する高電位側電圧及び低電位側電圧のうち低電位側電圧ということができる。駆動電圧ＭＶ２は、駆動電圧Ｖ２に基づいて生成されるため、逆バイアス用電圧は昇圧電圧に基づいて生成された電圧ということもできる。
【０１３０】
図１９では、第１〜第５のｎウェル４２０−１〜４２０−５が、ｐウェル４１０に形成されているが、これに限定されるものではない。第１〜第５のｎウェル４２０−１〜４２０−５が、それぞれ分離されたｐウェルに形成されてもよい。但し分離されたｐウェルは、それぞれ逆バイアス用電圧が印加される。
【０１３１】
第１〜第５のｎウェル４２０−１〜４２０−５の各ウェル領域には、ｐ型のソース領域４２４−１〜４２４−５及びドレイン領域４２２−１〜４２２−５が形成される。
【０１３２】
ＭＯＳトランジスタＰＳＷ１１（第１のトランジスタ）のゲート電極は、ソース領域４２４−１及びドレイン領域４２２−１の間のチャネル領域上に絶縁膜を介して設けられる。ＭＯＳトランジスタＰＳＷ１２（第２のトランジスタ）のゲート電極は、ソース領域４２４−２及びドレイン領域４２２−２の間のチャネル領域上に絶縁膜を介して設けられる。ＭＯＳトランジスタＰＳＷ１３（第３のトランジスタ）のゲート電極は、ソース領域４２４−３及びドレイン領域４２２−３の間のチャネル領域上に絶縁膜を介して設けられる。ＭＯＳトランジスタＰＳＷ１４（第４のトランジスタ）のゲート電極は、ソース領域４２４−４及びドレイン領域４２２−４の間のチャネル領域上に絶縁膜を介して設けられる。ＭＯＳトランジスタＰＳＷ１５（第５のトランジスタ）のゲート電極は、ソース領域４２４−５及びドレイン領域４２２−５の間のチャネル領域上に絶縁膜を介して設けられる。
【０１３３】
第１のｎウェル４２０−１のドレイン領域４２２−１には、駆動電圧Ｖ１が供給される。第（ｍ−１）（２≦ｍ≦５、ｍは整数）のｎウェル４２０−（ｍ−１）のソース領域４２４−（ｍ−１）が、第ｍのｎウェル４２０−ｍのドレイン領域４２２−ｍと電気的に接続され、第５のｎウェル４２０−５のソース領域４２４−５の電圧が、駆動電圧Ｖ２となる。
【０１３４】
図１９においても、第１のｎウェル４２０−１をベース領域、ｐウェル４１０をコレクタ領域、ドレイン領域４２２−１をエミッタ領域とするｐｎｐ型の第１の寄生バイポーラトランジスタ素子ＰＢＥ−１１が形成される。同様に、第２のｎウェル４２０−２をベース領域、ｐウェル４１０をコレクタ領域、ドレイン領域４２２−２をエミッタ領域とするｐｎｐ型の第２の寄生バイポーラトランジスタ素子ＰＢＥ−１２が形成される。第３のｎウェル４２０−３をベース領域、ｐウェル４１０をコレクタ領域、ドレイン領域４２２−３をエミッタ領域とするｐｎｐ型の第３の寄生バイポーラトランジスタ素子ＰＢＥ−１３が形成される。第４のｎウェル４２０−４をベース領域、ｐウェル４１０をコレクタ領域、ドレイン領域４２２−４をエミッタ領域とするｐｎｐ型の第４の寄生バイポーラトランジスタ素子ＰＢＥ−１４が形成される。第５のｎウェル４２０−５をベース領域、ｐウェル４１０をコレクタ領域、ドレイン領域４２２−５をエミッタ領域とするｐｎｐ型の第５の寄生バイポーラトランジスタ素子ＰＢＥ−１５が形成される。
【０１３５】
チャージポンプ回路３５０では、通常動作時にＭＯＳトランジスタＰＳＷ１５が導通状態に設定され、ディスチャージ用トランジスタＤＳＷ１及び出力ディスチャージ用トランジスタＤＳＷ２が非導通状態に設定される。
【０１３６】
また電源オフ時にチャージポンプ回路３５０のキャパシタに蓄積された電荷をディスチャージするためのディスチャージ動作時には、ＭＯＳトランジスタＰＳＷ１５が非導通状態に設定され、ディスチャージ用トランジスタＤＳＷ１及び出力ディスチャージ用トランジスタＤＳＷ２が導通状態に設定される。
【０１３７】
このため、ＭＯＳトランジスタＰＳＷ１４、ＰＳＷ１５の接続ノードＢ４の電圧が、システム接地電源電圧ＧＮＤ又は駆動電圧Ｖ１（第１の電圧又は該第１のでん圧より低い第２の電圧）に設定される。
【０１３８】
このとき、上述の寄生バイポーラトランジスタ素子ＰＢＥ−１４のベース領域が、システム接地電源電圧ＧＮＤ又は駆動電圧Ｖ１に設定される。この結果、図２０に示すように第４の寄生バイポーラトランジスタ素子ＰＢＥ−４がオンとなり、第１〜第４の寄生バイポーラトランジスタ素子ＰＢＥ−１１〜ＰＢＥ−１４がダーリントン接続された状態となり、電流経路が形成される。
【０１３９】
なおチャージポンプ回路３５０の寄生バイポーラトランジスタ素子はｐｎｐ型になるため、ｎｐｎ型に比べると電流増幅率が小さい。従って、ｎｐｎ型の寄生バイポーラトランジスタ素子がダーリントン接続された場合に比べて、ディスチャージ動作が低速になる。
【０１４０】
しかしながら、１つのディスチャージ用トランジスタ１つという簡素な構成で、高速なディスチャージを実現できる。
【０１４１】
なお、本発明は上述した実施の形態に限定されるものではなく、本発明の要旨の範囲内で種々の変形実施が可能である。例えば、本発明は上述の液晶パネルの駆動に適用されるものに限らず、エレクトロクミネッセンス、プラズマディスプレイ装置の駆動に適用可能である。
【０１４２】
また上述の実施形態又は変形例で説明した構成に限定されず、これらの均等な種々の構成を採用できる。
【０１４３】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１４４】
【図１】本実施形態における液晶駆動装置を含む液晶装置の構成例のブロック図。
【図２】Ｘドライバ部の構成例のブロック図。
【図３】Ｙドライバ部の構成例のブロック図。
【図４】液晶駆動用の各種電圧の関係を説明するための図。
【図５】ＣＯＭ電極、ＳＥＧ電極、オン画素及びオフ画素の波形の一例を示す図。
【図６】本実施形態における電源回路の構成例のブロック図。
【図７】チャージポンプ回路の構成例を示す図。
【図８】チャージクロックの基準タイミングとなる２つのクロックを示す図。
【図９】チャージクロックの生成回路の一例を示す図。
【図１０】図６の電圧極性反転回路の構成例を示す図。
【図１１】３倍昇圧時の本実施形態におけるチャージポンプ回路のキャパシタ接続例を示す図。
【図１２】図１１のチャージポンプ回路に接続されるキャパシタの両端の電圧波形の一例を示す図。
【図１３】図１１のチャージポンプ回路ＭＯＳトランジスタをｐ型の半導体基板に形成した場合の断面図。
【図１４】ＭＯＳトランジスタ、ディスチャージ用トランジスタ及び出力ディスチャージ用トランジスタの制御例の説明図。
【図１５】図１３の寄生バイポーラトランジスタ素子がダーリントン接続された場合の説明図。
【図１６】図１６（Ａ）、（Ｂ）は比較例のディスチャージ動作の測定波形を示す図。
【図１７】図１７（Ａ）、（Ｂ）は本実施形態におけるディスチャージ動作の測定波形を示す図。
【図１８】ｎ型のシリコン基板に形成されるチャージポンプ回路の回路図の一例を示す図。
【図１９】図１８のＭＯＳトランジスタをｎ型の半導体基板に形成した場合の断面図。
【図２０】図１９の寄生バイポーラトランジスタ素子がダーリントン接続された場合の説明図。
【符号の説明】
【０１４５】
１００、５３６  電源回路、１１０  抵抗分割回路、１２０  レギュレータ、
１３０  電圧分割回路、１４０  電圧極性反転回路、２００  チャージポンプ回路、
５１０  液晶装置、５２０  液晶パネル、５３０  液晶駆動装置、
５３２  Ｘドライバ部、５３４  Ｙドライバ部、Ｃ１〜Ｃ５  キャパシタ、
Ｃｓ  安定化用キャパシタ、ＣＬ１〜ＣＬ５、ＣＬ１０〜ＣＬ１３  チャージクロック、
ＤＳＷ１  ディスチャージ用トランジスタ、
ＤＳＷ２  出力ディスチャージ用トランジスタ、
ＮＳＷ１〜ＮＳＷ５、ＰＳＷ１〜ＰＳＷ４  ＭＯＳトランジスタ、
ＴＣ１〜ＴＣ７  外部接続用端子
【図１】
2005204411.tif 000003
【図２】
2005204411.tif 000004
【図３】
2005204411.tif 000005
【図４】
2005204411.tif 000006
【図５】
2005204411.tif 000007
【図６】
2005204411.tif 000008
【図７】
2005204411.tif 000009
【図８】
2005204411.tif 000010
【図９】
2005204411.tif 000011
【図１０】
2005204411.tif 000012
【図１１】
2005204411.tif 000013
【図１２】
2005204411.tif 000014
【図１３】
2005204411.tif 000015
【図１４】
2005204411.tif 000016
【図１５】
2005204411.tif 000017
【図１６】
2005204411.tif 000018
【図１７】
2005204411.tif 000019
【図１８】
2005204411.tif 000020
【図１９】
2005204411.tif 000021
【図２０】
2005204411.tif 000022